(57)【要約】【課題】省エネ時においてはＤＳＰ３２を介さずにオフフックが検出できるようにする。【解決手段】送受信するデータを変復調するＤＳＰ３２と、該ＤＳＰ３２と接続されて、回線網網の制御を行う２次側回路２４と、該２次側回路２４と接続されて、ＤＳＰ３２への電力供給が停止又は抑制されている際に、当該２次側回路２４の回線電圧信号出力部３３からの回線電圧のモニタ値と予め記憶されている基準電圧とを比較して外付電話がオフフックされたか否かを判断する外付け電話オフフック判定回路２６を設ける。これにより、ＤＳＰ３２への電力供給が停止又は抑制されているときであってもオフフックが検出できるようにする。【選択図】　　　　図１
2004112679.tif 000002
【特許請求の範囲】
【請求項１】
回線網と接続された１次側回路と該１次側回路に絶縁回路を介して接続された２次側回路とからなり、前記回線網を制御すると共にデータの送受信を行う半導体ＤＡＡの前記２次回路に接続されて送受信するデータの変復調を行うＤＳＰを備え、通信装置本体とシステムバスにより接続されて使用されるモデム装置において、
前記２次側回路と接続されて、前記ＤＳＰへの電力供給が停止又は抑制されている際に、当該２次側回路からの信号に基づき外付電話のオフフックを検出する外付電話オフフック判定回路を設けたことを特徴とするモデム装置。
【請求項２】
前記２次側回路が、回線電圧をモニタしてそれを格納する回線電圧レジスタを備え、当該回線電圧レジスタ値に対応する信号を回線電圧信号として出力する回線電圧信号出力部を有し、
前記外付電話オフフック判定回路が、前記回線電圧信号に基づき外付電話がオフフックされたか否かを判定することを特徴とする請求項１記載のモデム装置。
【請求項３】
前記回線電圧レジスタ値をアナログ信号に変換して前記外付電話オフフック判定回路に出力するＤ／Ａ変換器を設けたことを特徴とする請求項２記載のモデム装置。
【請求項４】
前記外付電話オフフック判定回路が、前記回線電圧信号に基づき外付電話がオフフックされたと判定した際には、その判定結果を専用ラインを介して前記通信装置本体に出力することを特徴とする請求項１乃至３いずれか１項記載のモデム装置。
【請求項５】
外付電話オフフック判定回路が、前記外付電話をオフフックした際の回線電圧を基準電圧として記憶する記憶部と、
前記回線電圧信号と前記基準電圧とを比較して、これらが一致した場合には前記外付電話がオフフックされたと判断する電圧比較部と、
該電圧比較部で前記外付電話がオフフックされたと判断した場合には、そのことを示すオフフック信号を出力する判断結果出力部とを有することを特徴とする請求項１乃至４いずれか１項記載のモデム装置。
【請求項６】
前記記憶部における前記基準電圧の値を調整可能に設けたことを特徴とする請求項５記載のモデム装置。
【請求項７】
前記基準電圧の値を調整する際には、ユーザが設定することを特徴とする請求項６記載のモデム装置。
【請求項８】
前記基準電圧の値を調整する際に、前記外付電話をオフフック状態にし、その時の回線電圧を検出して、当該電圧に基づき該基準電圧の値を決定して設定することを特徴とする請求項６又は７記載のモデム装置。
【請求項９】
前記外付電話をオフフック状態にし、その時の回線電圧を検出して前記基準電圧の値を設定する際に、当該オフフック状態で検出した回線電圧の値に対して予め設定された割合だけ小さい値を前記基準電圧の値として設定することを特徴とする請求項８記載のモデム装置。
【請求項１０】
前記基準電圧の値を調整する際に、オフフック状態での回線電圧を検出すると共に、そのときの最低電圧をも検出して、当該オフフック状態での回線電圧と前記最低電圧との間の電圧を前記基準電圧の値に設定することを特徴とする請求項８記載のモデム装置。
【請求項１１】
回線網と接続された１次側回路と該１次側回路に絶縁回路を介して接続された２次側回路とからなり、前記回線網を制御すると共にデータの送受信を行う半導体ＤＡＡと、前記２次側回路と接続されて送受信するデータの変復調を行うＤＳＰを備えたモデム装置と、該ＤＳＰとシステムバスにより接続されて前記半導体ＤＡＡ及びモデム装置を制御して通信を行うシステム制御部とを備え、所定の省エネ移行要件が満たされると通常状態から省エネ状態に移行し、所定の復帰要件が満たされると省エネ状態から通常状態に移行する省エネ機能を備えた通信装置において、
前記モデム装置が、省エネ状態では前記ＤＳＰへの電力供給が停止又は抑制され、この省エネ状態の間に前記２次側回路からの信号に基づき外付電話のオフフックを検出すると、専用ラインを介して出力する外付電話オフフック判定回路を備えることを特徴とする通信装置。
【請求項１２】
前記２次側回路が、回線電圧をモニタしてそれを格納する回線電圧レジスタを備え、当該回線電圧レジスタ値に対応する信号を回線電圧信号として出力する回線電圧信号出力部を有し、
前記外付電話オフフック判定回路が、前記回線電圧信号に基づき外付電話がオフフックされたか否かを判定することを特徴とする請求項１１記載のモデム装置。
【請求項１３】
前記回線電圧レジスタ値をアナログ信号に変換して前記外付電話オフフック判定回路に出力するＤ／Ａ変換器を設けたことを特徴とする請求項１２記載のモデム装置。
【請求項１４】
前記外付電話オフフック判定回路が、前記回線電圧信号に基づき外付電話がオフフックされたと判定した際には、その判定結果を専用ラインを介して前記通信装置本体に出力することを特徴とする請求項１１乃至１３いずれか１項記載のモデム装置。
【請求項１５】
外付電話オフフック判定回路が、前記外付電話をオフフックした際の回線電圧を基準電圧として記憶する記憶部と、
前記回線電圧信号と前記基準電圧とを比較して、これらが一致した場合には前記外付電話がオフフックされたと判断する電圧比較部と、
該電圧比較部で前記外付電話がオフフックされたと判断した場合には、そのことを示すオフフック信号を出力する判断結果出力部とを有することを特徴とする請求項１１乃至１４いずれか１項記載のモデム装置。
【請求項１６】
前記記憶部における前記基準電圧の値を調整可能に設けたことを特徴とする請求項１５記載のモデム装置。
【請求項１７】
前記基準電圧の値を調整する際には、ユーザが設定することを特徴とする請求項１６記載のモデム装置。
【請求項１８】
前記基準電圧の値を調整する際に、前記外付電話をオフフック状態にし、その時の回線電圧を検出して、当該電圧に基づき該基準電圧の値を決定して設定することを特徴とする請求項１６又は１７記載のモデム装置。
【請求項１９】
前記外付電話をオフフック状態にし、その時の回線電圧を検出して前記基準電圧の値を設定する際に、当該オフフック状態で検出した回線電圧の値に対して予め設定された割合だけ小さい値を前記基準電圧の値として設定することを特徴とする請求項１８記載のモデム装置。
【請求項２０】
前記基準電圧の値を調整する際に、オフフック状態での回線電圧を検出すると共に、そのときの最低電圧をも検出して、当該オフフック状態での回線電圧と前記最低電圧との間の電圧を前記基準電圧の値に設定することを特徴とする請求項１８記載のモデム装置。
【請求項２１】
前記外付電話オフフック判定回路、前記ＤＳＰ及び前記２次側回路が同一半導体チップ上に形成されてなることを特徴とする請求項１１乃至２０いずれか１項記載の記載の通信装置。
【請求項２２】
前記オフフック信号が、前記システム制御部に送信されて省エネ状態が解除されるようにしたことを特徴とする請求項１１乃至２１いずれか１項記載の通信装置。
【発明の詳細な説明】
【０００１】
【発明の属する技術分野】
本発明は、回線網と接続される１次側回路と、この１次側回路に絶縁回路を介して接続された２次側回路とから構成される半導体ＤＡＡ（Ｄａｔａ　Ａｃｃｅｓｓ　Ａｒｒａｎｇｅｍｅｎｔ）における、上記２次側回路にデータを変復調するＤＳＰ（Ｄｉｇｉｔａｌ　Ｓｉｇｎａｌ　Ｐｒｏｃｅｓｓｏｒ）が接続された場合に、該ＤＳＰが省エネ状態の時でも外付電話のオフフックを当該ＤＳＰを介さずに検出できるようにしたモデム装置及びそれを用いた通信装置に関する。
【０００２】
【従来の技術】
近年、インターネット、デジタル携帯電話等が普及するに伴い、携帯端末、小型端末等の通信装置の小型化が進んでいる。
【０００３】
しかし、公衆の回線網に接続するモデム内蔵の通信装置では、回線網との接続に直流絶縁の目的で、比較的大きな形状のトランスが必要とされ、このトランスが通信装置の小型化を阻害する要因となっていた。
【０００４】
ところが、近年の半導体プロセス技術の進歩やアイソレーション技術の進歩に伴い、網制御等を行う半導体ＤＡＡが開発されて、ランスの機能を極めて小型なパルストランスやコンデンサ、フォトカプラ等により置換えることが可能になってきている（特許文献１参照）。
【０００５】
このような半導体により形成された機能素子により、通信装置等の小型化や低コスト化が期待され、例えばファクシミリ装置のように携帯端末ではない通信装置への採用も模索されている。
【０００６】
このような通信装置においては、回線網を制御するための網制御機能や回線網を介して送受信する信号の変復調を行う変復調機能等が必要になる。
【０００７】
網制御機能は、上述したように半導体ＤＡＡにより半導体化され、また変復調機能は所謂モデムと称され、今日では半導体プロセスにより形成されたＤＳＰが主要部品として用いられて高速処理が行えるようになっている。
【０００８】
従って、通信に必要な最小限の機能である網制御機能及び変復調機能が共に半導体化されて供給されるようになっている。
【０００９】
【特許文献１】
特開平０６−０９８０３８号公報
【００１０】
【発明が解決しようとする課題】
しかしながら、通信装置では、環境に対する配慮等の観点から消費電力の低減が強く求められ、これに答えるべく省エネ機能が略標準装備されるようになってきているが、網制御機能を担う半導体ＤＡＡと変復調機能を担うモデム装置のＤＳＰとは直接接続されるため、省エネ状態においてもＤＳＰに通常状態と同様の電力を供給しなければ外付電話のオフフックを検出することができない問題があった。
【００１１】
即ち、モデム装置は上述したようにデータの変復調を行うが、扱うデータの多量化等の観点から変復調処理を高速に行う必要がある。このため、変復調を担う機能を半導体化したＤＳＰが用いられると共に、その動作周波数が高くなっている。動作周波数が高くなると、これに伴い消費電力が大きくなる。
【００１２】
一方、省エネ状態では、受信に必要な最低限の機器への電力供給を停止又は抑制して消費電力の削減を図っているが、ＤＳＰが半導体ＤＡＡに接続されて、該半導体ＤＡＡにより検出された外付電話のオフフックはＤＳＰを介して通信装置本体側に知らせる構成のため、省エネ状態においてもＤＳＰへの電力供給は通常状態と同じように供給しなければならない。
【００１３】
従って、半導体ＤＡＡを用いたために省エネ時でもＤＳＰに通常時と同じ電力を供給する状態では、半導体ＤＡＡを用いないでＤＳＰを省エネ状態にする場合に比べて電力消費が多くなってしまう。
【００１４】
そこで、本発明は、省エネ時においてはＤＳＰを介さずにオフフックが検出できるようにして省エネ効果を高めることができるようにしたモデム装置及びそれを用いた通信装置を提供することを目的とする。
【００１５】
【課題を解決するための手段】
上記課題を解決するため、モデム装置にかかる発明は、モデム装置のＤＳＰへの電力供給が停止又は抑制されている際に、半導体ＤＡＡの２次側回路からの信号に基づき外付電話のオフフックを検出して、その検出結果を出力する外付電話オフフック判定回路を設けて、省エネ時においてはＤＳＰを介さずにオフフックが検出できるようにして省エネ効果を高めたことを特徴とする。
【００１６】
また、通信装置にかかる発明は、省エネ状態ではモデム装置のＤＳＰへの電力供給が停止又は抑制され、この省エネ状態の間に２次側回路からの信号に基づき外付電話のオフフックを検出すると、専用ラインを介してシステム制御部に出力する外付電話オフフック判定回路を設けて、省エネ時においてはＤＳＰを介さずにオフフックが検出できるようにして省エネ効果を高めたことを特徴とする。
【００１７】
【発明の実施の形態】
本発明の実施の形態を図を参照して説明する。図１は、本発明に係るモデム装置を用いた通信装置の概略構成を示したブロック図である。なお、このような通信装置としては、ファクシミリ装置、パーソナルコンピュータ、携帯端末等が例示でき、本実施の形態においてはファクシミリ装置を例に説明する。
【００１８】
当該ファクシミリ装置は、システム制御部１１を有し、このシステム制御部１１にシステムバス１２が接続され、当該システムバス１２にプログラムＲＯＭ１３、データＲＡＭ１４、操作表示部１５、読取部１６、記録部１７、時計部１８、モデム装置２０が接続され、このモデム装置２０に半導体プロセスによる半導体網制御部２１が接続されて回線網と接続されている。
【００１９】
半導体網制御部２１は、回線電流を整流するダイオードブリッジ２７を介して回線網に接続される１次側回路２２、絶縁回路２３、モデム装置２０と接続される２次側回路２４により形成された半導体ＤＡＡである。
【００２０】
２次側回路２４には、回線電圧をモニタしてそれを記憶して出力する回線電圧信号出力部２５が設けられ、該回線電圧信号出力部２５とシステム制御部１１は外付電話オフフック判定回路２６を介して接続されている。
【００２１】
なお、ダイオードブリッジ２７と１次側回路２２との間には、回線網を外付電話に接続するか否かを制御する切断回路２８が設けられ、また回線網と並列に外付電話が接続できるように外付電話端子２９が設けられている。
【００２２】
モデム装置２０は、半導体プロセスにより作成されたＤＳＰ３２を主要部品として構成され、該ＤＳＰ３２と２次側回路２４とが接続されている。
【００２３】
そして、１次側回路２２は局給電により動作し、回線網からのアナログ信号をディジタル信号に変換するＡ／Ｄ−Ｄ／Ａ変換器（ＣＯＤＥＣ）３１を備えて、２次側回路２４とのデータの受け渡しをディジタル信号で行い、着呼検出、回線網へ発呼処理、外付電話がオフフックされた際の切断回路２８の駆動等の網制御や送受信データの送受信が行われるようになっている。
【００２４】
システム制御部１１は、プログラムＲＯＭ１３に格納された制御プログラムにしたがってデータＲＡＭ１４を作業領域として使用しながら、各構成要素を制御している。
【００２５】
システム制御部１１は、省エネ時には電力供給が抑制される等の省エネ状態となり、このとき外付電話のオフフック等が検出されると、当該システム制御部１１は通常状態に復帰して、検出した内容に応じて省エネ状態となっている機器を通常状態に復帰させるように制御する。
【００２６】
ところで、省エネ状態とは、着呼等の受信待機中に必要となる機器以外の機器の動作が停止し又は抑制された状態で、システム制御部１１、記録部１７、読取部１６、操作表示部１５、ＤＳＰ３２、システムバス１２等がかかる省エネ状態になり、省エネ時にはこれらの機器への電力供給が停止又は抑制される。
【００２７】
電力供給の抑制方法として、例えば電流を制限したり動作周波数を下げたりすることが可能であり、動作周波数を変える場合には時計部１８におけるクロック回路からの周波数を下げることにより行なわれる。
【００２８】
データＲＡＭ１４は、読取部１６で読取った画情報をメモリ送信するために一時的にファイルとして蓄積する図示しない圧縮データメモリー用のＳＡＦメモリ、受信した画情報を記録部１７により記録するまでファイルとして一時的に蓄積してデータを記録する際に生データを展開する図示しないバッファ用のページメモリ等を備えて、図示しないバックアップ用回路によりバックアップされて装置電源遮断時にも記憶内容が保持されるようになっている。
【００２９】
操作表示部１５は、宛先電話番号を指定するためのテンキー、スタートキー、ワンタッチダイヤルキー及びその他各種キーを備え、また液晶表示装置等の表示器を備えて、ユーザに知らせるべき装置の動作状態や各種メッセージを表示する。
【００３０】
読取部１６は、３．８５本／ｍｍ、７．７本／ｍｍ、１５．４本／ｍｍ等の所定の読取線密度で原稿画像を読取って画情報を得るためのもので、読取った画情報は一旦ラインバッファに逐次蓄積されて必要とされる機器に転送されるようになっている。
【００３１】
記録部１７は、受信した画情報をその線密度に応じて記録出力したり、読取部１６で読取った画情報をその線密度に応じて記録出力（コピー動作）するためのものであり、また管理リポートの出力にも用いられる。
【００３２】
時計部１８は、所定のクロック信号を発生するクロック回路を備え、現在時刻の計時を行う一方、システム制御部１１から設定された時定数をカウントダウンしてタイムアウトするとシステム制御部１１にタイムアウトしたことを通知する、タイマ動作を行うものである。
【００３３】
ＤＳＰ３２は、送受信するデータを高速で変復調するもので、省エネ時には消費電力が抑制されるように電力供給を停止又は抑制されるようになっている。
【００３４】
半導体網制御部２１における、１次側回路２２は、局給電により動作し２次側とデータの受け渡しを行うことによって回線網を制御し、２次側回路２４は、送受信データをＤＳＰ３２と１次側回路２２と送受信できるようにするインターフェースの機能を持つ。
【００３５】
また、当該２次側回路２４における回線電圧信号出力部２５は、回線電圧をモニタして、そのモニタ値を回線電圧レジスタ３３に記憶し、この値をビット化して外付電話オフフック判定回路２６に出力する。
【００３６】
なお、絶縁回路２３は、パルストランス、コンデンサ、フォトカプラ等から構成されて回線網と２次側回路２４とを直流的に絶縁した状態で接続している。
【００３７】
外付電話オフフック判定回路２６は、ＤＳＰ３２と共にモデム装置２０をなすもので、図２に示すように当該外付電話オフフック判定回路２６は、記憶部３４、電圧比較部３５、判断結果出力部３６により構成されている。
【００３８】
記憶部３４は、外付電話をオフフックした際の回線電圧を基準電圧として記憶する。日本国内の場合にはオフフックされると回線電圧が４８Ｖから１０Ｖ程度まで下がるので、この基準電圧としては例えば４８Ｖとする。
【００３９】
電圧比較部３５は、回線電圧信号出力部３３から回線電圧レジスタ３３の値を回線電圧信号として取込むと共に記憶部３４から基準電圧を取込み比較する。そして、これらが一致した場合には、外付電話がオフフックされたと判断する。
【００４０】
判断結果出力部３６は、電圧比較部３５で外付電話がオフフックされたと判断した場合に、そのことを示すオフフック信号を専用ライン３０を介してシステム制御部１１に出力する。
【００４１】
このような構成で、通常状態において外付電話がオフフックされると、その時の回線電圧のモニタ値が回線電圧信号出力部２５の回線電圧レジスタ３３に格納され、その値が回線電圧信号としてＤＳＰ３２を介してシステム制御部１１に出力される。
【００４２】
そして、システム制御部１１は、この回線電圧レジスタ３３から外付電話がオフフックされているか否かを判断する。この判断は、プログラムＲＯＭ１３等からシステム制御部１１に読込まれた基準電圧と回線電圧レジスタ３３から取込んだ値を比較することにより行われる。
【００４３】
そして、回線電圧レジスタ３３から取込んだ値が基準電圧より低い場合には、外付電話がオフフックされたと判断し、４８Ｖの場合にはオフフックされていないと判断する。
【００４４】
無論、ファクシミリ装置本外が所定のファクシミリ通信を行う場合も、回線電圧は低下するが、この場合は必ずシステム制御部が関与した通信となる。これにより、ファクシミリ通信による回線電圧の低下か否かが判断でき、当該システム制御部が関与していないときに回線電圧が低下した場合には外付電話のオフフックと判断する。
【００４５】
一方、ファクシミリ装置が省エネ状態に入っているときは、ＤＳＰ３２も省エネ状態となっているので、回線電圧レジスタ３３の値はシステム制御部１１に送られなくなり、外付電話のオフフックが検出できない。
【００４６】
そこで、省エネ状態では外付電話オフフック判定回路２６が起動して、回線電圧信号出力部２５の回線電圧レジスタ３３の値が外付電話オフフック判定回路２６の電圧比較部３５に送られて、ここで基準電圧と比較されて外付電話がオフフックされたか否かの判断が行われる。
【００４７】
この判断により、外付電話がオフフックされたと判断すると、そのことを示すオフフック信号を専用ライン３０を介してシステム制御部１１に送る。
【００４８】
これによりシステム制御部１１は、省エネ状態からの復帰を制御して、切断回路２８の制御信号をＤＳＰ３２、２次側回路等を介して切断回路２８に送り、回線網とファクシミリ装置本体との切離しを行う。
【００４９】
そして、外付電話がオンフックされると回線電圧レジスタ３３の値は、４８Ｖ等の基準電圧となるので、この値がＤＳＰ３２を介してシステム制御部１１に送られ、当該システム制御部１１は回線網とファクシミリ装置本体とが接続するように切断回路２８を制御する。
【００５０】
このとき、省エネ状態に移行する要件が満たされていれば、省エネ状態に移行するように制御する。
【００５１】
以上により、省エネ時において２次側回路と接続されたＤＳＰ３２を省エネ状態にしても、外付電話のオフフックが検出できるようになり、当該外付電話とファクシミリ装置との干渉を防止することが可能になる。
【００５２】
なお、上記説明では、回線電圧レジスタ３３の値を外付電話オフフック判定回路２６に送る際に、回線電圧レジスタ３３の値をビット化したディジタル信号で出力する場合について説明したが、本発明はこれに限定されるものではなく、回線電圧信号出力部２５にＡ／Ｄ変換器を設けてアナログ信号に変換して送るようにしても良い。
【００５３】
このように新たにＡ／Ｄ変換器を設けるとコストアップの要因となるが、アナログ信号で出力できるようにすることで接続端子数が削減できるため、これらのトレードオフの関係から結果的にコストダウンが可能になる利点がある。
【００５４】
また、このようにアナログ信号により回線電圧信号を受取る構成では、外付電話オフフック判定回路２６における基準電圧との比較がコンパレータ等により行えるようになるので、回路構成が簡単になる効果もある。
【００５５】
ところで、これまでの説明では、外付電話オフフック判定回路２６とＤＳＰ３２とによりモデム装置２０が構成される場合について説明したが、当該外付電話オフフック判定回路２６をシステム制御部１１内に設けても良く、また２次側回路２４内に設けても良い。
【００５６】
このように外付電話オフフック判定回路２６をシステム制御部１１内に設けたり、２次側回路２６内に設けたりする場合には、システム制御部１１及び２次側回路２６が半導体プロセスにより形成されるために、当該外付電話オフフック判定回路２６も半導体プロセスにより形成でき、独立して回路構成するよりもコストダウンが図れる利点がある。
【００５７】
また、基準電圧は外付電話オフフック判定回路２６の記憶部３４に格納してオフフックの判断を行うようにしたが、当該記憶部３４に相当する記憶手段をシステム制御部１１に設けてもよい。この場合、通常状態では回線電圧レジスタ３３の値がＤＳＰ３２を介してシステム制御部１１に送られ、省エネ状態では回線電圧レジスタ３３の値が外付電話オフフック判定回路２６を介してシステム制御部１１に送られて、通常状態、省エネ状態共にシステム制御部１１でオフフックの判断を行うことが可能になる。
【００５８】
無論、記憶部３４に相当する記憶手段を回線電圧信号出力部２５に設けてもよい。この場合、
通常状態では回線電圧レジスタ３３の値と基準電圧がＤＳＰ３２を介してシステム制御部１１に送られ、省エネ状態では回線電圧レジスタ３３の値と基準電圧が外付電話オフフック判定回路２６を介してシステム制御部１１に送られて、通常状態、省エネ状態共にシステム制御部１１でオフフックの判断を行うことが可能になる。
【００５９】
次に、本発明の第２の実施の形態を図を参照して説明する。なお、上述した実施の形態と同一構成に関しては同一符号を用いて説明を適宜省略する。
【００６０】
先に説明した実施の形態においては、基準電圧は予め設定された値であった。しかし、回線電圧は、交換機や回線路長等によって変動し、また日本では４８Ｖであるが外国ではこの値と異なり、さらには内線交換機によっても異なる。
【００６１】
従って、基準電圧を固定値にすると、このような使用環境により外付電話のオフフックの検出ができなくなる場合が発生する恐れがある。
【００６２】
そこで、本実施の形態では、基準電圧を調整ができるようにして、使用環境により外付電話のオフフックの検出ができなくなる不都合を防止できるようにしたものである。
【００６３】
この基準電圧を調整は、操作表示部１５からユーザやサービスマンがキー入力等により入力して変更するようにする。
【００６４】
これにより環境の違いによる回線電圧に違いがあっても、対応可能になり、利便性や信頼性が向上する。
【００６５】
図３は、このような外付電話のオフフック検出手順を示すフローチャートである。先ず、基準電圧が変更されたか否かを判断し（ステップＳ１）、変更されている場合には変更後の基準電圧を用いる（ステップＳ２）。
【００６６】
そして、この基準電圧をＡとし、回線電圧信号出力部２５からの回線電圧信号の値をＢとして、これらの差分を求めて、その値が正か否かを判断する（ステップＳ３〜ステップＳ５）。
【００６７】
この差分値が正の場合は、オフフックにより回線電圧が下がった結果、回線電圧が基準電圧より小さくなったと考えて外付電話がオフフックとなったと判断し（ステップＳ６）、その旨をシステム制御部１１側に通知する（ステップＳ７）。
【００６８】
以上により省エネ時にモデム装置２０への電源供給を停止又は抑制しても外付電話のオフフックが判断できるようなり、省エネ効果が向上すると共に利便性が向上する。
【００６９】
また、基準電圧を変更できるようにすることにより、使用環境等に適した基準電圧値が設定できるようになるので利便性が向上する。
【００７０】
次に、本発明の第３の実施の形態を図を参照して説明する。なお、上述した実施の形態と同一構成に関しては同一符号を用いて説明を適宜省略する。
【００７１】
第２の実施の形態では、基準電圧の設定はユーザ等が行った。これに対して、本実施の形態では自動設定できるようにしたものである。
【００７２】
即ち、ユーザ等が基準電圧の設定を行う場合には、どのような値に基準電圧を設定すべきかを知る必要があり、かかる値は回線網の状況に依るため一般ユーザにとって設定が困難となる。従って、このような設定はサービスマン等の専門の知識を有する人に頼らざるを得なくなる場合が多い。
【００７３】
そこで、オフフックすると回線電圧が降下することから、システム電源が投入された後の回線電圧を検出し、その値に対して予め設定された割合だけ小さい値（例えば１／２や１／３の値）を演算して基準電圧として設定する。
【００７４】
但し、電圧が極端に低い場合は、電源時点で既に外付電話がオフフックされ又は回線抜けしている場合が考えられるため変更しない。
【００７５】
図４は、このような基準電圧の自動変更を行う際の処理手順を示すフローチャートで、システム電源が投入されると（ステップＳ１１）、回線電圧のモニタが行われ（ステップＳ１２）、その検出値に基づき基準電圧を演算して設定する（ステップＳ１３）。
【００７６】
このようにして基準電圧の変更が行われた状態で、この基準電圧をＡとし、回線電圧信号出力部２５からの回線電圧をＢとして、これらの差分を求めて、その値が正か否かを判断する（ステップＳ１４〜ステップＳ１６）。
【００７７】
この差分値が正の場合は、オフフックにより回線電圧が下がった結果、回線電圧が基準電圧より小さくなったと考えて、外付電話がオフフックとなったと判断して（ステップＳ１７）、その旨をシステム制御部１１側に通知する（ステップＳ１８）。
【００７８】
なお、電源投入された後の回線電圧を検出し、その後に外付電話をオフフックして、その時の回線電圧を検出して、オフフック前後の回線電圧値からその中間の値を基準電圧とするようにしてもよい。
【００７９】
このような基準電圧の自動設定時には、上述したようにシステム電源が投入されたときでありシステム制御部１１が判断するので、当該システム制御部１１は省エネ状態ではなく通常動作状態である。従って、回線電圧の検出信号はモデム装置２０を介して受信する。
【００８０】
【発明の効果】
上記課題を解決するため、モデム装置にかかる発明によれば、モデム装置のＤＳＰへの電力供給が停止又は抑制されている際に、半導体ＤＡＡの２次側回路からの信号に基づき外付電話のオフフックを検出して、その検出結果を出力する外付電話オフフック判定回路を設けたので、省エネ時においてはＤＳＰを介さずにオフフックが検出できるようになり省エネ効果を高めることが可能になる。
【００８１】
また、通信装置にかかる発明は、省エネ状態ではモデム装置のＤＳＰへの電力供給が停止又は抑制され、この省エネ状態の間に２次側回路からの信号に基づき外付電話のオフフックを検出すると、専用ラインを介してシステム制御部に出力する外付電話オフフック判定回路を設けたので、省エネ時においてはＤＳＰを介さずにオフフックが検出できるようになり省エネ効果を高めることが可能になる。
【図面の簡単な説明】
【図１】本発明の第１〜第３実施の形態の説明に適用される通信装置のブロック図である。
【図２】外付電話オフフック判定回路のブロックである。
【図３】第２の実施の形態の説明に適用される外付電話オフフック判定手順を示すフローチャートである。
【図４】第３の実施の形態の説明に適用される外付電話オフフック判定手順を示すフローチャートである。
【符号の説明】
１１　システム制御部
１２　システムバス
１５　操作表示部
１８　時計部
２０　モデム装置
２１　半導体網制御部
２３　絶縁回路
２２　１次側回路
２４　２次側回路
２５　回線電圧信号出力部
２６　外付電話オフフック判定回路
２８　切断回路
２９　外付電話端子
３０　専用ライン
３２　ＤＳＰ
３３　回線電圧信号出力部
３３　回線電圧レジスタ
３４　記憶部
３５　電圧比較部
３６　判断結果出力部
【図１】
2004112679.tif 000003
【図２】
2004112679.tif 000004
【図３】
2004112679.tif 000005
【図４】
2004112679.tif 000006